(57)【特許請求の範囲】
【請求項１】
被捺染材を吸引する吸引孔が複数形成された載置台と、
前記載置台に載置された被捺染材の捺染側の面に向けてインクを吐出して所望の捺染を実行する捺染ヘッドと、を備え、
前記吸引孔が、被捺染材へ捺染を行う捺染領域の外に設けられている、
ことを特徴とするインクジェット捺染装置。
【請求項２】
請求項１に記載のインクジェット捺染装置において、前記吸引孔は、前記載置台において被捺染材を載置する載置面上に設けられている、
ことを特徴とするインクジェット捺染装置。
【請求項３】
被捺染材を吸引する吸引孔が複数形成された載置台と、
前記載置台に載置された被捺染材の捺染側の面に向けてインクを吐出して所望の捺染を実行する捺染ヘッドと、を備え、
前記捺染ヘッドからのインク吐出時には、少なくとも前記複数の吸引孔のうち被捺染材へ捺染を行う捺染領域内の吸引孔による吸引が行われない、
ことを特徴とするインクジェット捺染装置。
【請求項４】
被捺染材を吸引する吸引孔が複数形成された載置台と、
前記載置台に載置された被捺染材の捺染側の面に向けてインクを吐出して所望の捺染を実行する捺染ヘッドと、を備え、
前記捺染ヘッドからのインク吐出時には、少なくとも前記複数の吸引孔のうち前記捺染ヘッドと対向する吸引孔による吸引が行われない、
ことを特徴とするインクジェット捺染装置。
【請求項５】
請求項２から４のいずれか１項に記載のインクジェット捺染装置において、前記載置台において被捺染材を載置する載置面上に設けられた複数の吸引孔は、前記載置面上の一端側から他端側に向かって吸引のオンオフ切り換えが可能に構成されており、
前記吸引孔による被捺染材の吸引は、前記載置面上の一端側から他端側に向かって順次実行される、
ことを特徴とするインクジェット捺染装置。
【請求項６】
請求項１に記載のインクジェット捺染装置において、前記吸引孔は、前記載置台の側面に設けられている、
ことを特徴とするインクジェット捺染装置。
【発明の詳細な説明】
【技術分野】
【０００１】
本発明は、搬送される被捺染材の捺染側の面に向けてインクを吐出して所望の捺染を実行する捺染ヘッドを備えたインクジェット捺染装置に関する。
【背景技術】
【０００２】
アパレル（衣服）メーカーやテキスタイル（布地）メーカーでは、従来から生地本体表面に図柄等をプリントする「捺染」が広く行われている。  
そして、捺染を行う捺染装置として、捺染ヘッドから吐出されたインクを被捺染材に直接付着させて捺染を実行するインクジェット捺染装置も開発されている。
【０００３】
この様なインクジェット捺染装置に特有の技術的課題として、被捺染材（例えば、布帛）のセッティングがある。例えば、布帛は印刷用紙とは異なり伸縮し易い性質を有しており、また、皺も生じ易く、これらが捺染結果に悪影響を及ぼす虞がある。
【０００４】
特許文献１には、柔軟な素材に対しても正確かつ確実に印刷を施すことを目的として、多数の細孔を備えた支持面と、細孔を通して被印刷物を吸引する吸引手段と、を備えた印刷補助ガイドが示されている。この印刷補助ガイドによれば、多数の細孔を通して被印刷物を吸引することによって被印刷物を支持面に沿った姿勢に吸着保持できるので、この様な印刷補助ガイドに被印刷部をセットし、その印刷補助ガイドを搬送して印刷を行うことで、適切な印刷結果を得ることができる。
【０００５】
また、特許文献２には、プラテンの周囲に挿嵌してプラテンに載置された被印刷体に張力を与える枠を備えたプラテン装置が開示されている。このプラテン装置によれば、被印刷体をプラテンにセットすることが容易になると同時に、セット不良が起こりにくいといった作用効果が得られる。
【先行技術文献】
【特許文献】
【０００６】
【特許文献１】特開２００４−２２４４９６号公報
【特許文献２】特開２００３−３１２０６９号公報
【発明の概要】
【発明が解決しようとする課題】
【０００７】
ところで、布帛は印刷用紙とは異なり一方側の面から吸引を行うと他方側の面に気流の乱れを生じ易いため、特許文献１記載の印刷補助ガイドを利用した場合、インク着弾精度が低下し、所望する捺染結果が得られない虞がある。
【０００８】
また、特許文献２に記載のプラテン装置にあっては、被印刷体が載置されたプラテンに枠を嵌める構成であるので、厚手の被印刷体に対応できない場合があるとともに、枠のセット時に被印刷体が伸びてしまい、所望する捺染結果が得られない虞がある。
【０００９】
そこで本発明はこの様な状況に鑑みなされたものであり、その目的は、被捺染材に不適切なテンションをかけることを防止し或いは前記テンションを抑えるとともに、インク着弾精度への悪影響を抑えた被捺染材のセット構造を備えたインクジェット捺染装置を提供することにある。
【課題を解決するための手段】
【００１０】
上記課題を解決する為の、本発明の第１の態様に係るインクジェット捺染装置は、被捺染材を吸引する吸引孔が複数形成された載置台と、前記載置台に載置された被捺染材の捺染側の面に向けてインクを吐出して所望の捺染を実行する捺染ヘッドと、を備え、前記吸引孔が、被捺染材へ捺染を行う捺染領域の外に設けられていることを特徴とする。
【００１１】
本態様によれば、被捺染材は載置台に形成された複数の吸引孔により吸引される構成であるので、被捺染材に不適切なテンションを付与することなく載置台上に保持することができる。また、前記吸引孔は被捺染材へ捺染を行う捺染領域の外に設けられているので、吸引孔による被捺染材の吸引が、捺染ヘッドから吐出されたインクの着弾精度に悪影響を抑える程度を軽減でき、或いは前記悪影響を防止でき、以上により適切な捺染結果を得ることができる。
【００１２】
尚、本明細書において「被捺染材」とは、捺染の対象となる「布地」や「衣服その他の服飾製品」等を意味する。「布地」には、綿、絹、羊毛等の天然繊維やナイロン等の化学繊維あるいはこれらを混ぜた複合繊維の織物、編物、不織布等が含まれる。
【００１３】
また、「衣服その他の服飾製品」には、縫製後のＴシャツ、ハンカチ、スカーフ、タオル、手提げ袋、布製のバッグ、カーテン、シーツ、ベッドカバー等のファニチャーの類の等の他、縫製前の状態のパーツとして存在する裁断前後の布地等も含まれる。
【００１４】
本発明の第２の態様は、第１の態様において、前記吸引孔は、前記載置台において被捺染材を載置する載置面上に設けられていることを特徴とする。  
本態様によれば、前記吸引孔は、前記載置台において被捺染材を載置する載置面上に設けられているので、被捺染材を載置面上に沿わせることで平坦性を確保でき、より適切な捺染結果を得ることができる。
【００１５】
本発明の第３の態様は、被捺染材を吸引する吸引孔が複数形成された載置台と、前記載置台に載置された被捺染材の捺染側の面に向けてインクを吐出して所望の捺染を実行する捺染ヘッドと、を備え、前記捺染ヘッドからのインク吐出時には、少なくとも前記複数の吸引孔のうち被捺染材へ捺染を行う捺染領域内の吸引孔による吸引が行われないことを特徴とする。
【００１６】
本態様によれば、被捺染材は載置台に形成された複数の吸引孔により吸引される構成であるので、被捺染材に不適切なテンションを付与することなく載置台上に保持することができる。また、前記捺染ヘッドからのインク吐出時には、少なくとも前記複数の吸引孔のうち被捺染材へ捺染を行う捺染領域内の吸引孔による吸引が行われないので、吸引孔による被捺染材の吸引が、捺染ヘッドから吐出されたインクの着弾精度に悪影響を与える程度を軽減でき、或いは前記悪影響を防止でき、以上により適切な捺染結果を得ることができる。
【００１７】
本発明の第４の態様は、被捺染材を吸引する吸引孔が複数形成された載置台と、前記載置台に載置された被捺染材の捺染側の面に向けてインクを吐出して所望の捺染を実行する捺染ヘッドと、を備え、前記捺染ヘッドからのインク吐出時には、少なくとも前記複数の吸引孔のうち前記捺染ヘッドと対向する吸引孔による吸引が行われないことを特徴とする。
【００１８】
本態様によれば、被捺染材は載置台に形成された複数の吸引孔により吸引される構成であるので、被捺染材に不適切なテンションを付与することなく被捺染材を載置台上に保持することができる。また、前記捺染ヘッドからのインク吐出時には、少なくとも前記複数の吸引孔のうち前記捺染ヘッドと対向する吸引孔による吸引が行われないので、吸引孔による被捺染材の吸引が、捺染ヘッドから吐出されたインクの着弾精度に悪影響を与える程度を軽減でき、或いは前記悪影響を防止でき、以上により適切な捺染結果を得ることができる。
【００１９】
本発明の第５の態様は、第２から第４の態様のいずれかにおいて、前記載置台において被捺染材を載置する載置面上に設けられた複数の吸引孔は、前記載置面上の一端側から他端側に向かって吸引のオンオフ切り換えが可能に構成されており、前記吸引孔による被捺染材の吸引は、前記載置面上の一端側から他端側に向かって順次実行されることを特徴とする。
【００２０】
本態様によれば、前記複数の吸引孔は、前記載置面上の一端側から他端側に向かって吸引のオンオフ切り換えが可能に構成されており、前記吸引孔による被捺染材の吸引は、前記載置面上の一端側から他端側に向かって順次実行されるので、被捺染材を載置台に載置した際に皺が形成されていても、上記所定方向に沿った吸引の順次実行によって皺の伸ばし効果が期待でき、より適切な捺染結果を得ることができる。
【００２１】
本発明の第６の態様は、第１の態様において、前記吸引孔は、前記載置台の側面に設けられていることを特徴とする。  
本態様によれば、前記吸引孔は、前記載置台の側面に設けられているので、前記載置台の載置面全域を捺染領域として利用することができ、載置台の小型化を図ることができる。
【図面の簡単な説明】
【００２２】
【図１】本発明に係るインクジェット捺染装置の外観斜視図。
【図２】本発明に係るインクジェット捺染装置の側面図。
【図３】被捺染材及び載置台に載置された被捺染材の状態を示す図。
【図４】第１実施形態に係る載置台の斜視図。
【図５】第２実施形態に係る載置台の斜視図。
【図６】（Ａ）、（Ｂ）は第３実施形態に係る載置台の平面図。
【図７】第４実施形態に係る載置台の斜視図。
【図８】（Ａ）〜（Ｃ）は第５実施形態に係る載置台の正面拡大図。
【図９】領域毎の吸引オンオフ切り換えを行う構成の一例を示すブロック図。
【発明を実施するための形態】
【００２３】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２４】
図１は本発明の一実施形態に係るインクジェット捺染装置１の外観斜視図、図２は同側面図、図３は被捺染材Ｐ及び載置台１７Ａに載置された被捺染材Ｐの状態を示す図、図４は第１実施形態に係る載置台１７Ａの斜視図である。また、図５は第２実施形態に係る載置台１７Ｂの斜視図、図６（Ａ）、（Ｂ）は第３実施形態に係る載置台１７Ｃの平面図、図７は第４実施形態に係る載置台１７Ｄの斜視図、図８（Ａ）〜（Ｃ）は第５実施形態に係る載置台１７Ｅの正面拡大図である。更に、図９は領域毎の吸引オンオフ切り換えを行う構成の一例を示すブロック図である。
【００２５】
尚、図中においてｘ−ｙ−ｚ座標系は説明の便宜上方向を示したものであり、ｚ方向は鉛直（重力）方向、ｙ方向が被捺染材Ｐの搬送方向（載置台の移動方向）、ｘ方向がｙ方向及びｚ方向と直交する方向である。
【００２６】
図１、図２に示す様にインクジェット捺染装置１は、装置本体２の底部にガイドテーブル１０を備え、このガイドテーブル１０上を載置台１７Ａが移動するよう構成されている。より詳しくは、ガイドテーブル１０にはｙ方向に平行なガイド軸１１がｘ方向に所定間隔を空けて配置されており、このガイド軸１１、１１によって、ベース１５がｙ方向にガイドされる様になっている。
【００２７】
２本のガイド軸１１、１１の間には、無端ベルト１２が、ｙ方向に沿って駆動プーリー１３と従動プーリー１４との間に係回されており、この無端ベルト１２の一部にベース１５が固定されている。駆動プーリー１３は図示を省略するモーターによって回転駆動され、これにより無端ベルト１２が稼働すると、ベース１５がｙ方向に移動する様になっている。
【００２８】
このベース１５には軸１６が立設され、この軸１６上に載置台１７Ａが取り付けられている。載置台１７Ａは、その上面が被捺染材Ｐを載置する載置面１７ａとなっており、載置面１７ａ上に被捺染材Ｐを図３に示す様に載置し（図３の被捺染材Ｐは一例としてＴシャツを示している）、被捺染材Ｐが載置された載置台１７Ａがｙ方向に移動することで、被捺染材Ｐは捺染ヘッドとしてのインクジェットヘッド２３の下を通過できる様になっている。
【００２９】
載置台１７Ａの内側には空洞部１７ｅが形成されており、ベース１５上に配置された吸引ファン装置２５と空洞部１７ｅとがチューブ２６によって接続されている。載置台１７Ａには、空洞部１７ｅと連通する多数の吸引孔１８（後述）が形成されており、吸引ファン装置２５の稼働により、載置台１７Ａ上に載置された被捺染材Ｐが吸引される様になっている。
【００３０】
次いで、インクジェット捺染装置１の装置前面右側には各種操作を行う為の操作パネル６が配置されており、装置前面において載置台１７Ａを挟んで操作パネル６の反対側（装置左側）にはインクカートリッジを収容するインクカートリッジ収容部８が設けられている。
【００３１】
インクカートリッジ収容部８に収容されたインクカートリッジからインクが供給される、捺染実行部を構成するインクジェットヘッド２３は、インクを吐出するためのノズル孔（不図示）が複数並んだノズル列（不図示）を複数有する、公知の構造のインクジェットヘッドである。そしてこのインクジェットヘッド２３は搬送方向ｙと交差するｘ方向（図２において紙面面裏方向）に往復駆動されるキャリッジ２２に搭載されている。
【００３２】
尚、インクジェット捺染装置１は、インクジェットヘッド２３が搬送方向ｙと交差するｘ方向に移動しながらインクを吐出する所謂シリアル式として説明したが、インクジェットヘッド２３はラインヘッドであってもよいし、またこのラインヘッドが固定的に設けられていても、或いは搬送方向ｙに移動可能に設けられていても、いずれであっても良いのは勿論である。
【００３３】
そして載置台１７Ａが仮想線及び符号１７Ａ’で示す位置にまで搬送され（捺染開始位置）、載置台１７Ａの装置前方側（図２において左側）への移動と、インクジェットヘッド２３からのインク吐出と、が交互に行われ、捺染が実行される。被捺染材Ｐへのインクの吐出が終了すると、載置台１７Ａは図２の実線で示す位置（被捺染材Ｐのセット位置）にまで戻り、インクが吐出された被捺染材Ｐを取り出すことができる様になっている。
【００３４】
■■■第１実施形態■■■
続いて、載置台１７Ａについて図４を参照しつつ更に詳説する。図４において符号Ｓａは、被捺染材Ｐへ捺染を行う捺染領域を示しており、本実施形態では捺染領域Ｓａは載置面１７ａの面積より小さく、載置面１７ａの中央部に設定されている。上述したインクジェットヘッド２３は、図示を省略する制御部の制御のもと、捺染領域Ｓａに対してインクを吐出する。
【００３５】
そして本実施形態に係る載置台１７Ａは、被捺染材Ｐを吸引する吸引孔１８が、載置面１７ａ上に設けられており、且つ、捺染領域Ｓａの外に設けられている。符号Ｓｂは、吸引孔１８が形成された吸引領域を示しており、この吸引領域Ｓｂは、本実施形態では捺染領域Ｓａを囲うようにして形成されている。
【００３６】
以上の構成により、被捺染材Ｐは載置台１７Ａに形成された複数の吸引孔１８により吸引されるので、被捺染材Ｐに不適切なテンションを付与することなく載置台１７Ａ上に被捺染材Ｐを保持することができる。そして、吸引領域Ｓｂは捺染領域Ｓａの外に設けられているので、吸引孔１８による被捺染材Ｐの吸引が、インクジェットヘッド２３から吐出されたインクの着弾精度に悪影響を与える程度を抑え、或いは前記悪影響を防止することができ、以上により適切な捺染結果を得ることができる。
【００３７】
尚、本実施形態では吸引領域Ｓｂは、捺染領域Ｓａを囲うようにして形成しているが、捺染領域Ｓｂに対し例えばｙ方向の両側や、或いはｘ方向の両側に形成するようにしても良い。
【００３８】
■■■第２実施形態■■■
次に、図５は第２実施形態に係る載置台１７Ｂを示すものである。載置台１７Ｂは、第１実施形態に係る載置台１７Ａと異なり、捺染領域Ｓａにも吸引孔１８が形成されている。しかしながら、少なくともインクジェットヘッド２３からのインク吐出時には、捺染領域Ｓａ内の吸引孔１８による吸引が行われない様に制御される。
【００３９】
従って上述した第１実施形態と同様に、吸引孔１８による被捺染材Ｐの吸引が、インクジェットヘッド２３から吐出されたインクの着弾精度に悪影響を与える程度を抑え、或いは前記悪影響を防止することができ、以上により適切な捺染結果を得ることができる。
【００４０】
尚、捺染領域Ｓａと吸引領域Ｓｂの吸引の切り換えは、例えば以下の様にして行われる。載置台内部の空洞部１７ｅは、捺染領域Ｓａ用の空洞部（不図示）と吸引領域Ｓｂ用の空洞部（不図示）とで専用となる様に区画されており、各空洞部（各吸引領域）と吸引ファン装置２５とがそれぞれ専用のチューブ２６で接続されている。
【００４１】
そして、捺染領域Ｓａ用の空洞部に至るチューブ２６には、開閉バルブ（不図示）が介設されている。この開閉バルブのオンオフにより、捺染領域Ｓａ内の吸引孔１８による吸引オンオフ切り換えが実行可能となる。尚、吸引領域Ｓｂに対しては、開閉バルブ（不図示）は必ずしも設ける必要はない。
【００４２】
図９は以上の構成を一般化して示したブロック図であり、上述した２つの領域（捺染領域Ｓａと吸引領域Ｓｂ）に限らず、更に多くの領域（吸引孔領域１，２，３，・・・）を区画した場合であっても、それぞれの吸引孔領域と吸引ファン装置２５とを結ぶエア流路に開閉バルブ（開閉バルブ１，２，３，・・・）を介在させることにより、所望するタイミングで吸引孔１８による吸引のオンオフ切り換えが実行可能となる。尚、制御部２７は、各開閉バルブ及び吸引ファン装置２５を制御する制御手段である。  
但し、各吸引孔領域の吸引オンオフ切り換えを実行する為の構成としては上記構成に限られないことは言うまでもなく、例えば吸引孔の内側にシャッターの様な遮蔽手段を設け、当該シャッターを駆動することで吸引オンオフ切り換えを行うように構成することもできる。
【００４３】
■■■第３実施形態■■■
次に、図６は第３実施形態に係る載置台１７Ｃを示すものである。載置台１７Ｃは、捺染領域Ｓａにも吸引孔１８が形成されているとともに、載置台１７Ｃの移動方向（Ｙ方向）に沿って複数領域（Ｒ１、Ｒ２、・・・、Ｒ８）毎に吸引オンオフ切り換えが可能に構成されている。
【００４４】
インクジェットヘッド２３がｘ方向に移動しながらインクを吐出するとき、例えば図６（Ａ）の場合には領域Ｒ１、Ｒ２がインクジェットヘッド２３と対向することとなるので、この場合には領域Ｒ１、Ｒ２については吸引をオフとし、他の領域については吸引をオンとする。
【００４５】
即ち、インクジェットヘッド２３からのインク吐出時には、少なくとも複数の吸引孔１８のうちインクジェットヘッド２３と対向する吸引孔１８による吸引が行われない。これにより、吸引孔１８による被捺染材Ｐの吸引がインクジェットヘッド２３から吐出されたインクの着弾精度に悪影響を与える程度を抑え、或いは前記悪影響を防止することができ、以上により適切な捺染結果を得ることができる。加えて、インクジェットヘッド２３と対向しない他の領域は吸引のオンが継続されるので、被捺染材Ｐがずれることなく確実に載置台上に保持される。
【００４６】
ところで、載置台１７Ｃを利用した他の制御として、被捺染材Ｐへの捺染開始前に、載置面１７ａ上の一端側から他端側に向かって吸引を順次実行することも好適である。例えば、ユーザーが被捺染材Ｐを載置台１７Ｃにセットする際には領域Ｒ１〜Ｒ８のすべてについて吸引をオフとする。そして、ユーザーが被捺染材Ｐを載置台１７Ｃにセットした後、被捺染材Ｐへの捺染開始前に、吸引を領域Ｒ１、Ｒ２、・・・の順に、順次開始する。この様に吸引を実行することで、被捺染材Ｐを載置台１７Ｃに載置した際に形成された皺を伸ばす効果が期待でき、より適切な捺染結果を得ることができる。尚、この様な皺伸ばし効果を効果的に得る為には、載置面１７ａは滑りやすい面であることが好ましい。
【００４７】
■■■第４実施形態■■■
次に、図７は第４実施形態に係る載置台１７Ｄを示すものである。載置台１７Ｄは、吸引孔１８が、載置面１７ａ上ではなく、側面（載置台移動方向に対しての側面）１７ｂに形成されている（一方側ではなく、両側の側面）。これにより、載置面１７ａの全域を捺染領域として利用することができるので、載置台の小型化を図ることができる。尚、本実施形態では吸引孔１８を載置台移動方向に対する側面１７ｂに形成したが、載置台移動方向に面する２つの側面１７ｃに形成しても良いし、或いはすべての側面に形成しても良い。
【００４８】
■■■第５実施形態■■■
次に、図８は第５実施形態に係る載置台１７Ｅを示すものである。載置台１７Ｅは、上記第４実施形態と同様に吸引孔１８が載置面１７ａ上ではなく両側面１７ｂに形成されているが、上部に弾性材２０が、ｙ方向に沿って（ｙ方向全域に亘って）設けられている。図８（Ａ）は被捺染材Ｐのセット前の状態であり、この状態から、図８（Ｂ）に示す様に被捺染材Ｐをセットする際に弾性材２０を圧縮させながら（矢印Ｆ）、被捺染材Ｐを側面１７ｂ（吸引孔１８）に吸着させる。
【００４９】
そしてユーザーが手を離すと、弾性材２０が元の大きさに復帰しようとするので、これが図８（Ｃ）の矢印ｆで示す様に被捺染材Ｐを伸ばすように作用し、これにより被捺染材Ｐに形成された皺が伸ばされ、良好な捺染結果を得ることができる。尚、弾性材２０の材料、大きさ等の調整により、被捺染材Ｐに過剰な引っ張りを与えることを防止できる。
【００５０】
以上説明した各実施形態は一例であり、本発明がこれら各実施形態に限られないことは言うまでもない。尚、上記各実施形態では、吸引孔１８は載置台１７に形成されているが、必ずしも載置台１７に形成されている必要はない。例えば、載置台１７の周囲に吸引孔１８を形成した吸引部を設けても良く、一例としては載置台１７の側面１７ｂと対向する位置に吸引孔１８を形成した吸引部を設けても良い。これにより、被捺染材Ｐを或る程度引っ張る効果が期待でき、即ち皺伸ばし効果が期待できる。
【００５１】
また加えて、本発明は布帛等の被捺染材にインクを吐出するインクジェット捺染装置に対して適用したが、記録用紙等の被記録媒体に記録を行うインクジェット記録装置に適用することも可能である。
【符号の説明】
【００５２】
１  インクジェット捺染装置、２  装置本体、６  操作部、８  インクカートリッジ収容部、１０  ガイドテーブル、１１  ガイド軸、１２  無端ベルト、１３  駆動プーリー、
１４  従動プーリー、１５  ベース、１６  軸、１７Ａ〜１７Ｅ  載置台、１７ａ  載置面、１７ｂ、１７ｃ  側面、１８  吸引孔、２０  弾性材、２２  キャリッジ、２３  インクジェットヘッド、２５  吸引ファン装置、２６  チューブ、２７  制御部、Ｐ  被捺染材
【図１】
0005800138.tif 000002
【図２】
0005800138.tif 000003
【図３】
0005800138.tif 000004
【図４】
0005800138.tif 000005
【図５】
0005800138.tif 000006
【図６】
0005800138.tif 000007
【図７】
0005800138.tif 000008
【図８】
0005800138.tif 000009
【図９】
0005800138.tif 000010